(57)【要約】【課題】高所作業中作業者がアームの吊り上げまたは吊り降ろしする時にアームを確実に保持できるフックを提供すること。【解決手段】  枠体と、ロープ取付部と、ボルト孔係合用突起とからなるボルト孔付きアームの吊具であって、前記ロープ取付部は、前記枠体の外側に一体的に設けられ、前記ボルト孔係合用突起は、前記枠体の内側に一体的に設けられ、前記ロープ取付部と前記ボルト孔係合用突起は、対面する位置にあることを特徴とするボルト孔付きアームの吊具。ボルト孔付きアームの吊具と、扛重用ロープに取り付けるためのなす環と、前記吊具と前記なす環とを接続する補助ロープとから構成されるボルト孔付きアームの落下防止装置。【選択図】  図１
2005272054.tif 000002
【特許請求の範囲】
【請求項１】
枠体と、ロープ取付部と、ボルト孔係合用突起とからなるボルト孔付きアームの吊具であって、
前記ロープ取付部は、前記枠体の外側に一体的に設けられ、
前記ボルト孔係合用突起は、前記枠体の内側に一体的に設けられ、
前記ロープ取付部と前記ボルト孔係合用突起は、対面する位置にあることを特徴とするボルト孔付きアームの吊具。
【請求項２】
前記枠体、ロープ取付部、及びボルト孔係合用突起は、実質上同一平面上にあることを特徴とする請求項１に記載のボルト孔付きアームの吊具。
【請求項３】
前記枠体、ロープ取付部、及びボルト孔係合用突起は、鋼材からなることを特徴とする請求項１又は２に記載のボルト孔付きアームの吊具。
【請求項４】
前記枠体、ロープ取付部、及びボルト孔係合用突起は、エンジニアリングプラスチックからなることを特徴とする請求項１又は２に記載のボルト孔付きアームの吊具。
【請求項５】
前記枠体は、丸形であることを特徴とする請求項１ないし４のいずれかに記載のボルト孔付きアームの吊具。
【請求項６】
前記枠体は、方形であることを特徴とする請求項１ないし４のいずれかに記載のボルト孔付きアームの吊具。
【請求項７】
請求項１ないし６のいずれかに記載のボルト孔付きアームの吊具と、扛重用ロープに取り付けるためのなす環と、前記吊具と前記なす環とを接続する補助ロープとから構成されるボルト孔付きアームの落下防止装置。
【請求項８】
前記吊具と、前記なす環と、前記補助ロープとを別体に形成し、それらを一体にしたことを特徴とする請求項７に記載のボルト孔付きアームの落下防止装置。
【請求項９】
前記吊具と、前記なす環と、前記補助ロープとを一体に形成したことを特徴とする請求項７に記載のボルト孔付きアームの落下防止装置。
【発明の詳細な説明】
【技術分野】
【０００１】
高所作業場所にアームを吊り上げまたは吊り降ろし時のアームを保持する吊具及びその吊具を用いたアーム落下防止装置に関する。
【背景技術】
【０００２】
高所作業中作業者がアームの吊り上げまたは吊り降ろしする時には、図３に示すように、アームの周囲にロープを巻き付けるとっくり結びを用いているが、アームに下方から力が加わると結び部が緩みアームが落下するおそれがあった。
また、アームの自重および引き上げ力により結びが固くなり取り外しが厄介であった。
【０００３】
そこで、環式金具に着脱自在に取り付けられ、円弧状をなし、そしてその内面の円周方向に複数状の山形断面形状の突出部を形成し、かつ該突出部のうち１つの突出部の高さが他の突出部の高さよりも高いことを特徴とする吊具用金具が提言されている（特許文献１）。
【特許文献１】実開昭５２−５９３７０号公報
【発明の開示】
【発明が解決しようとする課題】
【０００４】
電柱に取り付けるアーム（腕木）はチャンネル材または、断面が丸型および角型鋼管が用いられており、それらのアームには碍子等配電機器を取り付けるためのボルト孔が設けられている。本発明はこのボルト孔を利用して、高所作業中作業者がアームの吊り上げまたは吊り降ろしする時にアームを確実に保持できるフックを提供することを課題とする。
【課題を解決するための手段】
【０００５】
上記課題を解決するために、請求項１のボルト孔付きアームの吊具の発明は、枠体と、ロープ取付部と、ボルト孔係合用突起とからなるボルト孔付きアームの吊具であって、前記ロープ取付部は、前記枠体の外側に一体的に設けられ、前記ボルト孔係合用突起は、前記枠体の内側に一体的に設けられ、前記ロープ取付部と前記ボルト孔係合用突起は、対面する位置にあることを特徴とする。
【０００６】
請求項２の発明は、請求項１に記載の発明において、前記枠体、ロープ取付部、及びボルト孔係合用突起は、実質上同一平面上にあることを特徴とする。
【０００７】
請求項３の発明は、請求項１又は２に記載の発明において、前記枠体、ロープ取付部、及びボルト孔係合用突起は、鋼材からなることを特徴とする。
【０００８】
請求項４の発明は、請求項１又は２に記載の発明において、前記枠体、ロープ取付部、及びボルト孔係合用突起は、エンジニアリングプラスチックからなることを特徴とする。
【０００９】
請求項５の発明は、請求項１ないし４のいずれかに記載の発明において、前記枠体は、丸形であることを特徴とする。
【００１０】
請求項６の発明は、請求項１ないし４のいずれかに記載の発明において、前記枠体は、方形であることを特徴とする。
【００１１】
請求項７の発明は、請求項１ないし６のいずれかに記載のボルト孔付きアームの吊具と、扛重用ロープに取り付けるためのなす環と、前記吊具と前記なす環とを接続する補助ロープとから構成されるボルト孔付きアームの落下防止装置である。
【００１２】
請求項８の発明は、請求項７に記載の発明において、前記吊具と、前記なす環と、前記補助ロープとを別体に形成し、それらを一体にしたことを特徴とする。
【００１３】
請求項９の発明は、請求項７に記載の発明において、前記吊具と、前記なす環と、前記補助ロープとを一体に形成したことを特徴とする。
【発明の効果】
【００１４】
ワンタッチで着脱でき、また、突起がアームのボルト孔に係合するとともに、枠体の上下の内側がアームに当接するので、アームを確実に保持できる。
また、アームの孔を有する面と突起を合わせて、アーム上を滑らせることにより、突起は自動的に孔に係合するので装着が容易である。
また、方形の枠体と断面方形の（孔付き）アームの組み合わせにおいては、「枠の２辺とアームの２辺の接触による自在鉤様固定」と「孔と突起の係合による固定」との二重の固定により、アームを確実に保持できるし、丸形の枠体と断面丸形の（孔付き）アームの組み合わせにおいては、丸形の枠の上下部とアームの上下部による固定」と「孔と突起の係合による固定」との二重の固定により、アームを確実に保持できる。
【００１５】
また、構造が簡易であり、余った部品と余った部材を加工・成型した部品を組み合わせることにより製造できるため、製造コストが安価である。
【発明を実施するための最良の形態】
【００１６】
本発明に係るボルト孔付きアームの吊具１は、図１に示すとおり、アームを保持するためのアーム断面より一回り大きい枠体２の外側に枠体を吊り下げるためのロープ取付部３を設け、取付部と対面する枠体２の内側に３アームのボルト孔に係合するための突起４を設けたものである。吊具１は、アーム吊り下げ時の荷重に耐えられるよう一定の強度を有するものとする必要があり、強度性、加工性を考慮すると鋼材やエンジニアリングプラスチック等を用いるのが好ましい。なお、「エンジニアリングプラスチック 」とは、合成樹脂のうちで、力学的性質に優れ、耐磨耗性、耐腐食性、電気絶縁性などを有し、機械部品材として適したものをいう。このようなエンジニアリングプラスチックとしては、ポリアミド、ポリアミドイミド及びそれらの繊維強化樹脂などが好ましいものとして例示される。図１においては、枠体の形状は方形となっているが、吊り下げるアームの断面の形状（例えば丸形）にあわせて最適な形状を採用するのがよい。
本発明に係るアーム落下防止装置は、図１に示すとおり、吊具１のロープ取付部３に補助ロープ６の一方を結着し、もう一方をなす環６に結着することにより構成される。各構成要素を別形成してそれらを一体にしてもよいし、一体形成してもよい。
本発明の一使用態様を示したものが、図２である。図２に示すとおり、本発明は「てこの原理」を応用しているため、ロープの自重がかかっている限り、吊具１がはずれることはない。
【００１７】
以下、本発明の実施例を示し、本発明をより具体的に説明するが、本発明はこの実施例によって何ら限定されるものではない。
【実施例１】
【００１８】
通常使用されているアームは、断面が75mm×75mm、長さが1.5m〜1.8mなので、直径10mmの鋼材を方形に折り曲げ、端部を溶接して内法寸法が80mm×105mmの方形の枠体２を形成する。
次に、直径8mmの鋼材をＵ字状に折り曲げて形成したロープ取付部３の自由端を枠体２の外側に形成した穴に挿入溶着し、直径7mmの鋼材で形成した係合用突起４を枠体２の内方に20mm突出した状態で、枠体部１の内側に形成した穴に挿入溶着、または螺着して吊具１を形成する。
さらに、上記のようにして得た吊具１のロープ取付部３に補助ロープ６を介してなす環５を接続しアーム落下防止装置を構成する。
【００１９】
この実施例では、吊具１を棒材の折り曲げおよび溶接によって作成したが、鋳造により一体に成形してもよいし、鍛造や樹脂類により作成してもよい。
また、吊具１はアームを固定するＵ形ボルトの撤去品を切断し、溶接することにより成形することも可能であるし、補助ロープは従来例のアーム落下防止装置で利用していたロープを再利用してもよい。
【００２０】
上記構成のアーム落下防止装置は、次のようにしてアームに着脱する。
装着時は、アーム７の孔を有する面を係合用突起４を有する辺に合わせ、吊具１の開口部をアームに直交した状態で差し込み、係合用突起４がアーム７のボルト孔に対向する位置に移動させ、係合用突起４をアーム７のボルト孔に差し込み、吊具１を回動させ吊具１の２辺の内側をアーム７の外側に接触させる。
離脱時は、吊具１の開口部がアーム７に直交するように回動させ、係合用突起４をボルト孔から外し、枠体をアームから抜き取る。
【産業上の利用可能性】
【００２１】
電柱に取り付けるアームの昇降に用いる例を説明したが、送電鉄塔の構造部材等、送電用機器を固定する孔を有する部材の昇降にも用いることができる。なお、昇降の他にも運搬、縛結にも用いることができることは言うまでもない。
【図面の簡単な説明】
【００２２】
【図１】組立状態を示す平面図である。
【図２】使用状態の説明図である。
【図３】従来例（とっくり結びの図）の説明図である。
【符号の説明】
【００２３】
１  吊具
２  枠体
３  ロープ取付部
４  係合用突起
５  なす環
６  補助ロープ
７  アーム（腕木）
【図１】
2005272054.tif 000003
【図２】
2005272054.tif 000004
【図３】
2005272054.tif 000005